(57)【要約】      （修正有）【課題】子供たちの興味を強く惹き、飽きにくいスイング遊技機の提供。【解決手段】ボート形状の遊技機はプール１およびプール内に配置される船体２を備える。スイング機構はプール内で左方向および右方向に揺れることができる。船体はスイング機構上に搭載される。プールの一側壁の頂上端にはゲーム装置３が配置される。プールの側壁および底部の少なくともいずれか一方には噴水システムおよび噴気システム設置される。噴水システムは１以上の噴水ポート５１および排水ポート５２を備える。ボート形状のスイング遊技機は、左方向および右方向に揺れる船体構造、噴水システムおよび噴気システムを有することで、利用者にとって全く新たなゲームの娯楽性を提供する。利用者は船体を揺らしながらゲームで遊ぶことがき、ゲームには噴水および噴気の効果が伴い、これらによってゲームの楽しみは増す。【選択図】図１
2016112402.tif 000002
【特許請求の範囲】
【請求項１】
プール（１）と、
前記プール（１）内に配置されて、左方向および右方向に揺れるスイング機構と、
前記プール（１）内で前記スイング機構に搭載され、操向ハンドルを有する船体（２）と、
前記プールの側壁の頂上端に設置されて、前面で前記船体（１）に向き合うディスプレイスクリーン（３１）を有するゲーム装置（３）と、
前記プールの側壁の頂上端に設置されて、前記ゲーム装置を制御してゲームを開始するコイン供給装置（３２）と、
前記プールの側壁および底部の少なくともいずれか一方に設置される噴水システムおよび噴気システムとを備え、
前記噴水システムは、前記ディスプレイスクリーンの前面の前方位置で前記プールの側壁および底部の少なくともいずれか一方に配置される１以上の噴水ポート（５１）と、前記プールの底部に配置される排水ポート（５２）とを有し、前記噴気システムは前記噴水ポート（５１）に接続される
ことを特徴とするボート形状のスイング遊技機。
【請求項２】
請求項１に記載のボート形状のスイング遊技機において、前記プールの外側に配置されて前記プールの外壁に連なり、上面に滑り止めストリップ（４１）を配置する階段（４）をさらに備えることを特徴とするボート形状のスイング遊技機。
【請求項３】
請求項２に記載のボート形状のスイング遊技機において、前記階段は前記ディスプレイスクリーン（３１）の反対側に配置され、前記階段と前記プールの側壁とには手すり（４２）が接続されることを特徴とするボート形状のスイング遊技機。
【請求項４】
請求項１に記載のボート形状のスイング遊技機において、前記噴水ポート（５１）は、前記プール（１）の内壁に配置されて、後方に向かって船体（２）の方向に水を噴き出す３つの後向き噴水ポートと、前記プールの底部に配置されて、上方に水を噴き上げる２つの上向き噴水ポートとを備えることを特徴とするボート形状のスイング遊技機。
【請求項５】
請求項１〜４のいずれか１項に記載のボート形状のスイング遊技機において、前記噴水システムは、水ポンプ（５３）と、前記噴水ポートに前記水ポンプ（５３）を接続する噴水管（５４）と、前記排水ポートに前記水ポンプを接続する戻り管（５５）と、前記排水ポートに接続される排水管（５６）と、前記排水管（５６）に設置される排水スイッチ（５７）とを備えることを特徴とするボート形状のスイング遊技機。
【請求項６】
請求項５に記載のボート形状のスイング遊技機において、前記噴気システムは、気体ポンプ（６１）と、前記噴水ポート（５１）に前記気体ポンプ（６１）を接続する気体供給管（６２）とを備えることを特徴とするボート形状のスイング遊技機。
【請求項７】
請求項１〜４のいずれか１項に記載のボート形状のスイング遊技機において、
前記スイング機構は、
基礎フレーム体（７３）と、
基礎フレーム体（７３）の２端に設置される軸受け（７４）を介して基礎フレーム体（７３）上に搭載されるスイングフレーム（７２）と、
前記スイングフレーム（７２）に前記船体（２）を固定して連結する緩衝用の支持板（７１）と、
前記基礎フレーム体（７３）上に設置されて前記スイングフレームに連結され、前記軸受け回りで左方向および右方向に前記スイングフレーム（７２）を揺らすスイング駆動機構と
を備えることを特徴とするボート形状のスイング遊技機。
【請求項８】
請求項７に記載のボート形状のスイング遊技機において、前記スイング駆動機構は、前記基礎フレーム体上に搭載されるモーター（８１）と、前記モーターに結合される偏心輪（８２）と、２端にジョイント軸受け（８３）を有し、前記スイングフレームに前記偏心輪を連結する連結ロッド（８４）とを備えることを特徴とするボート形状のスイング遊技機。
【請求項９】
請求項８に記載のボート形状のスイング遊技機において、前記スイング駆動機構は、前記基礎フレーム体（７３）上で前記偏心輪（８２）に向き合う位置に配置され、前記偏心輪（８２）の位置情報を検出し取得する光電センサー（８５）をさらに備えることを特徴とするボート形状のスイング遊技機。
【請求項１０】
請求項７に記載のボート形状のスイング遊技機において、前記軸受け（７４）は、前記基礎フレーム体（７３）の２端に配置される固定用のラック（７３１）上に配置されることを特徴とするボート形状のスイング遊技機。
【発明の詳細な説明】
【技術分野】
【０００１】
本発明は、遊技機に関し、特に、ボート形状のスイング遊技機に関する。
【背景技術】
【０００２】
子供用のスイング遊技機は子供に深く愛される娯楽設備の１つである。こうした遊技機の多くは乗り物を模して設計される。乗り物はモーターで駆動され上下に揺れる。乗り物に座った子供は乗り物とともに上下に揺らされる。乗り物が上下に揺れると同時に、音楽が流され、子供の楽しみはさらに増長される。しかも、既存のスイング遊技機は乗り物を真似て作られ、スイング遊技機の乗り物は、一般に、子供たちの興味を強く惹くように、子供たちに人気のアニメのキャラクターを模して作られる。しかしながら、既存のスイング遊技機では、どれも動作が一様であって、乗っていても一本調子であって、すぐに飽きられてしまう。したがって、新しいタイプのスイング装置が確立され、遊びの中で子供たちにもっと楽しい時間をもたらすことが望まれている。
【発明の概要】
【発明が解決しようとする課題】
【０００３】
本発明は、従来技術の欠点を克服するためになされたもので、ボート形状のスイング遊技機を提供する。このスイング遊技機の乗員は、船体の左右の揺れと、船体前方の噴水効果や噴気効果とともにゲームを楽しむことができ、その結果、ゲームの面白みは増大する。
【課題を解決するための手段】
【０００４】
本発明は以下の技術的構成に基づき実現される。ボート形状のスイング遊技機は、プールと、プール内に配置されて、操向ハンドルを有する船体とを備える。プール内には、左方向および右方向に揺れる（スイングする）スイング機構が配置される。船体はスイング機構上に搭載される。プールの一側壁の頂上端にはゲーム装置が設置される。ゲーム装置のディスプレイスクリーンの前面は船体に面する。プールの他側壁の頂上端には、ゲーム装置を制御してゲームを開始するコイン供給装置が設置される。プールの側壁および底部の少なくともいずれか一方には噴水システムおよび噴気システムが設置される。噴水システムは１以上の噴水ポートおよび排水ポートを有する。噴水ポートは、ディスプレイスクリーンの前面の前方位置でプールの側壁および底部の少なくともいずれか一方に配置される。排水ポートはプールの底部に配置される。噴気システムは噴水ポートに接続される。
【０００５】
加えて、ボート形状のスイング遊技機は、プールの外側に配置されてプールの外壁に連なる階段をさらに備える。階段の上面には滑り止めストリップが配置される。階段はディスプレイスクリーンの反対側に配置される。階段とプールの側壁とには手すりが接続される。
【０００６】
好ましくは、複数の噴水ポートは、プールの内壁に配置されて、後方に向かって船体の方向に水を噴き出す３つの後向き噴水ポートと、プールの底部に配置されて、上方に水を噴き上げる２つの上向き噴水ポートとを含む。
【０００７】
好ましくは、噴水システムは、水ポンプ、噴水管、戻り管および排水管を備える。水ポンプは、噴水管で噴水ポートに接続され、戻り管で排水ポートに接続される。排水ポートには排水管が接続される。排水管には排水スイッチが配置される。噴気システムは気体ポンプおよび気体供給管を備える。気体ポンプは気体供給管で噴水ポートに接続される。
【０００８】
好ましくは、スイング機構は緩衝用支持板、スイングフレームおよび基礎（固定）フレーム体を備える。船体は、緩衝用の支持板でスイングフレームに固定される。スイングフレームは基礎フレーム体の２端に設置される軸受けを介して基礎フレーム体上に搭載される。基礎フレーム体上にはさらにスイング駆動機構が設置される。スイング駆動機構は、スイングフレームに連結され、軸受け回りで左方向（左回り）および右方向（右回り）にスイングフレームを揺らす（スイングする）。
【０００９】
好ましくは、スイング駆動機構は、基礎フレーム体上に搭載されるモーターと、モーターに結合される偏心輪と、２端（両端）にジョイント軸受けを有する連結ロッドとを備える。偏心輪は連結ロッドでスイングフレームに連結される。スイング駆動機構は、偏心輪の位置情報を検出し取得する光電センサーをさらに備える。スイング駆動機構は、基礎フレーム体上で偏心輪に近い位置（向き合う位置）に配置される。そして好ましくは、軸受けは、基礎フレーム体の２端に配置される固定用のラック上に配置される。
【００１０】
本発明に係るボート形状のスイング遊技機には、左方向および右方向に揺れる（スイングする）船体構造と、噴水システムおよび噴気システムとが提供される。その結果、本発明に係るボート形状のスイング遊技機は利用者にとって全く新たなゲームの娯楽性を提供する。利用者は、船体の左右の揺れ（スイング）とともにゲームを楽しむことができる。ゲームには噴水効果および噴気効果が加わり、ゲームの楽しさは増す。
【図面の簡単な説明】
【００１１】
【図１】本発明の一実施形態に係るボート形状のスイング遊技機の三次元構成を概略的に示す模式図である。
【図２】他の視点から観察され本発明の一実施形態に係るボート形状のスイング遊技機の三次元構成を概略的に示す模式図である。
【図３】部分的に切断された断面を有する本実施形態に係るボート形状のスイング遊技機の模式図であって、ゲーム装置で筐体の一側が取り外されたものである。
【図４】部分的に切断された断面を有する本実施形態に係るボート形状のスイング遊技機の模式図であって、ゲーム装置全体が省略され、ゲーム装置を設置し支持する支持体のみが図示されたものである。
【図５】図３のＡ部分の拡大図である。
【図６】図４のＢ部分の拡大図である。
【図７】スイング機構の三次元構造を示す概念図である。
【発明を実施するための形態】
【００１２】
以下、当該技術分野における当業者の理解を助けるために、添付図面および実施形態を参照しつつ詳細に本発明を説明する。
【００１３】
図１および図２に示されるように、ボート形状のスイング遊技機は、プール１と、プール１内に配置されて操向ハンドル２１を有する船体２とを備える。プール１には左方向および右方向に揺れ可能な（スイング可能な）スイング機構が配置される。スイング機構上に船体は搭載される。プール１の一側壁の頂上端にはゲーム装置３が設置される。ゲーム装置３は、前面で船体２に向き合うディスプレイスクリーン３１を有する。プール１の他側壁の頂上端にはゲーム装置３を制御してゲームを開始するコイン供給装置３２が設置される。プール１の側壁および底部（底板）の少なくともいずれか一方には噴水システムおよび噴気システムが設置される。噴水システムは１以上の噴水ポート５１および１つの排水ポート５２を有する。噴水ポート５１は、ディスプレイスクリーン３１の前面の前方位置でプール１の側壁および底部の少なくともいずれか一方に配置される。排水ポート５２はプール１の底部に配置される。噴気システムは噴水ポート５１に接続される。
【００１４】
さらに、ゲームの開始にあたって子供にとって都合よくそして安全に船体２に乗り込めるように、ボート形状のスイング遊技機はプール１の外側に配置される階段４を備える。階段４はプール１の外壁に連なる。階段４の上面には滑り止めストリップ４１が配置される。階段４はディスプレイスクリーン３１の反対側に配置される。階段４とプール１の側壁には手すり４２が接続される。
【００１５】
図３〜図６に示されるように、本実施形態では、噴水システムは水ポンプ５、噴水管５４、戻り管５５および排水管５６を備える。水ポンプ５３は、噴水管５４で噴水ポート５１に接続され、戻り管５５で排水ポート５２に接続される。排水管５６は排水ポート５２に接続される。排水管５６には排水スイッチ５７が配置される。本実施形態では、噴水ポート５１は、プール１の内壁に配置されて、後方に向かって船体２の方向に水を噴き出す３つの後向き噴水ポートと、プール１の底部に配置されて、上方に水を噴き上げる２つの上向き噴水ポートとを含む。そして本実施形態では、３つの水ポンプが配置され、個々の水ポンプは、配管で三方向ジョイント５８に接続され、三方向ジョイント５８を介して戻り管５５に接続される。噴気システムは気体ポンプ６１および気体供給管６２を備える。気体ポンプ６１は気体供給管６２で噴水ポート５１に接続される。本実施形態では気体ポンプ６１は酸素ポンプである。これに対応して、気体供給管６２は酸素供給管である。酸素供給管は３つの後向き噴水ポートにのみ接続される。
【００１６】
図７に示されるように、スイング機構は緩衝用支持板７１、スイングフレーム７２および基礎（固定）フレーム体７３を備える。船体２は緩衝用支持板７１を介してスイングフレーム７２に固定される。船体２の左右の揺れで生成される衝撃は緩衝用支持板７１で和らげられる。こうしてスイングボート構造の安全性は高められ手ごろな価格が実現される。乗員の安全は確保される。スイングフレーム７２は、基礎フレーム体７３の２端（両端）に配置される軸受け７４を介して基礎フレーム体７３に搭載される。基礎フレーム体７３にはさらにスイング駆動機構が設置される。スイング駆動機構は、スイングフレーム７２に連結され、軸受け７４回りで左方向（左回り）および右方向（右回り）にスイングフレーム７２を揺らす（スイングする）。本実施形態では基礎フレーム体７３の２端（前端および後端）に配置される固定用ラック７３１上に軸受け７４は配置される。スイングフレーム７２は好ましくは平面視で矩形に形成される。
【００１７】
スイング駆動機構は、基礎フレーム体７３上に搭載されるモーター８１と、モーター８１に結合される偏心輪８２と、２端（両端）にジョイント軸受け８３を有する連結ロッド８４とを備える。偏心輪８２は連結ロッド８４でスイングフレーム７２に連結される。モーター８１が偏心輪８２を駆動すると、偏心輪８２の回転はジョイント軸受け８３の上下動を引き起こす。ジョイント軸受け８３の上下動は軸受け７４回りで左回りおよび右回りにスイングフレーム７２の揺れを引き起こす。こうして船体２は左方向および右方向に揺れる（スイングする）。
【００１８】
好ましくは、スイング駆動機構は光電センサー８５をさらに備える。光電センサー８５は偏心輪８２の位置情報を検出し取得する。光電センサー８５は偏心輪８２に近い位置（向き合う位置）で基礎フレーム体７３上に設置される。こうして光電センサー８５で偏心輪８２の位置情報が取得されると、モーター８１は船体２の停止を制御することができる。船体２はモーター８１の制御に応じて左右に釣り合った状態で停止することができる。スイングボート装置の安全性および信頼性は高められる。
【００１９】
以下、遊戯モードとしてボート形状のスイング遊技機の動作を簡単に説明する。ゲームの開始にあたってプレイヤーは、階段４から船体２に入り、コイン供給装置３２にゲームコインを挿入する。その後、開始キーを押してゲームを開始する。ゲームの最中、プレイヤーは船体の左右の揺れに応じて揺れる（スイングする）。同時に、プール１の内壁に設置された３つの後向き噴水ポートは噴水システムの動作に応じて船体の後方に向かって３本の噴水を形成する。こうして船体は前向きに動くように感じられ、プレイヤーは、水に浮かぶ船の感覚を得る。このとき、３つの後向き噴水ポートは噴水にあたって噴気システムの動作に応じて噴気の効果を享受する。こうして噴水の効果はさらに臨場感および楽しさを生み出し、プレイヤーの興味をそそる。しかも、プレイヤーは、船体内の操向ハンドル２１の回転を制御することで、プールの底板に左右に設置された２つの上向き噴水ポートを操作し、上向きに噴水を作り出すことができる。操向ハンドル２１が左回りに回転すると、左側の上向き噴水ポートは１筋の噴水を形成する。操向ハンドル２１が右回りに回転すると、右側の上向き噴水ポートは１筋の噴水を形成する。こうしてプレイヤーとボート形状の遊技機との間で双方向の作用が増加し、プレイヤーにはさらに楽しいゲーム体験がもたらされる。
【００２０】
本実施形態に係るボート形状のスイング遊技機はスイング遊技機の遊びの過程で子供に水上のボート遊びの楽しさを体験させることができる。噴水システム、噴気システム、および、左右に揺れる船体構造が提供されることでゲームの臨場感および楽しさが増加する。こうして全く新たな娯楽体験はプレイヤーに提供される。
【００２１】
以上、本発明の一実施の形態を説明してきたものの、いかなる理由でも本発明は上記実施の形態に限定されるものではなく、特許請求の範囲に記載された本発明の技術思想から逸脱することなく種々な設計変更を実施することができ、そうした変更はいずれも本発明の権利範囲に属する。
【符号の説明】
【００２２】
１…プール、２…船体、２１…操向ハンドル、３…ゲーム装置、３１…ディスプレイスクリーン、３２…コイン供給装置、４…階段、４１…滑り止めストリップ、４２…手すり、５１…噴水ポート、５２…排水ポート、５３…水ポンプ、５４…噴水管、５５…戻り管、５６…排水管、５７…排水スイッチ、５８…三方向ジョイント、６１…気体ポンプ、６２…気体供給管、７１…緩衝用の支持板、７２…スイングフレーム、７３…基礎（固定）フレーム体、７３１…固定用ラック、７４…軸受け、８１…モーター、８２…偏心輪、８３…ジョイント軸受け、８４…連結ロッド、８５…光電センサー。
【図１】
2016112402.tif 000003
【図２】
2016112402.tif 000004
【図３】
2016112402.tif 000005
【図４】
2016112402.tif 000006
【図５】
2016112402.tif 000007
【図６】
2016112402.tif 000008
【図７】
2016112402.tif 000009